(57)【要約】【課題】記録シートＰとして保証最小サイズＳｍｉｎよりも小さい送り幅Ｓからなる記録シートＰｘを強引に給紙して画像形成が行われることがあっても、加熱ロール等の定着回転体の局所的な過剰加熱が発生することを防止することができる画像形成装置を提供する。【解決手段】加熱ロール３１の温度を検出する温度検出素子４０を、その加熱ロール３１の回転軸方向における保証最小サイズＳｍｉｎの送り幅の記録シートＰｍｉｎが通過するシート通過領域Ｗ３内であって、かつ、保証最小サイズＳｍｉｎよりも小さい送り幅の記録シートＰｘが搬送された場合に通過しない領域Ｗ４内となる部位に少なくとも設置した。【選択図】　　図４
2004145211.tif 000002
【特許請求の範囲】
【請求項１】
記録シートに未定着像を形成する作像装置と、
この作像装置で未定着像が形成された記録シートが押し付けられるように搬送されてその未定着像を記録シートに定着させる定着回転体と、
この定着回転体の回転軸方向に沿って設置されてその定着回転体を加熱する加熱手段と、
前記定着回転体に対向して設置されてその定着回転体の温度を検出する温度検出素子と、
この温度検出素子で検出された温度情報に応じて前記加熱手段の加熱動作を制御する制御手段とを有し、
前記記録シートの搬送時における送り幅として保証最小サイズが設定されているが、その保証最小サイズよりも小さい送り幅の記録シートでも搬送が可能になっている画像形成装置において、
前記温度検出素子は、前記定着回転体の回転軸方向における前記保証最小サイズの送り幅の記録シートが通過するシート通過領域内であって、かつ、前記保証最小サイズよりも小さい送り幅の記録シートが搬送された場合に通過しない領域内となる部位に少なくとも設置されることを特徴とする画像形成装置。
【請求項２】
前記温度検出素子は、前記保証最小サイズの送り幅の記録シートが通過するシート通過領域内の端部に相当する部位に設置される請求項１に記載の画像形成装置。
【発明の詳細な説明】
【０００１】
【発明の属する技術分野】
本発明は、電子写真方式、静電記録方式等を利用したプリンタ、複写機、ファクシミリ、複合機等の画像形成装置に関するものである。
【０００２】
【従来の技術】
電子写真方式を利用したプリンタ等の画像形成装置では、感光体等の像担持体に電子写真プロセスを経てトナーからなる像を形成し、そのトナー像を記録シートに直接または中間転写体を介して間接的に転写した後、その転写された未定着像を担持する記録シートを定着装置に搬送して定着処理することにより画像形成が行われる。
【０００３】
上記定着装置としては、例えば、圧接した状態で対向配置される加熱ロールと加圧ロールの間（定着ニップ部）に未定着像を担持する記録シートを通過させて加熱加圧することで定着処理を行うタイプのものが使用される。かかる定着装置では、加熱ロールの内部にその回転軸方向にそって加熱用ランプを設置するとともに加熱ロールの表面温度を検出する温度検出素子を設置し、その温度検出素子で検出された温度情報に応じて加熱用ランプの加熱動作を制御することによって加熱ロールを所定の温度（主に定着温度）に加熱保持するようになっている。
【０００４】
ところで、このような画像形成装置においては、一般に、安定した記録シートの搬送性や良好な定着性等を保証する観点から、記録シートの搬送時における送り幅（搬送方向と直交する方向に沿うシート幅）として保証最小サイズが設定されている。
【０００５】
かかる保証最小サイズの設定に関する規制は、例えば、記録シートを収容する給紙トレイ（カセット）に装備されるシート側端部規制ガイドのスライド領域を規定することで行っている。すなわち、給紙トレイに積載収容される記録シート（束）は、その搬送（給紙）方向における側端部がその搬送方向と直交する方向にスライドする板状のシート側端部規制ガイドによって揃えられて位置的に規制されるが、そのスライド領域における小サイズ側の移動終端地を保証最小サイズに相当する位置に設定している。これにより、保証最小サイズよりも狭い送り幅の記録シートを使用しようとしても、かかる記録シートの一側端部が上記シート側端部規制ガイドにより規制されず、その給紙および搬送が良好に行われなくなるようになっている。この他にも、画像形成装置の取扱い説明書において、取り扱う記録シートの送り幅として保証最小サイズなるものが定められていることをユーザーに告知するための説明を記載することによって行っている。
【０００６】
一方、定着装置では、画像形成装置において使用可能なあらゆる送り幅の記録シートが定着処理のために搬送されてきた場合であっても加熱ロールを所定の定着温度に加熱保持させるために、温度検出素子を複数設置して加熱ロールの温度をできる限り正確に検出し、加熱用ランプの加熱動作を適切に制御するように工夫されている。
【０００７】
例えば、２つの温度検出素子を設置する場合としては、図７に例示するように、その一方の温度検出素子２００Ａを加熱ロール１００の回転軸方向（Ｊ）において保証最小サイズＳの記録シートＰｍｉｎが通過する最小通過領域Ｗ２に相当する範囲内に設置し、もう一方の温度検出素子２００Ｂをその最小通過領域Ｗ２よりも外の範囲内に設置することが知られている（特許文献１）。図中の符号Ｗ１は、送り幅として許容されている最大の記録シートが通過する最大通過領域である。
【０００８】
【特許文献１】特許第２６９８４９４号公報
【０００９】
【発明が解決しようとする課題】
しかしながら、このような記録シートの保証最小サイズを設定している画像形成装置にあっては、以下のような課題がある。
【００１０】
すなわち、図７に例示するように、記録シートとして保証最小サイズよりも小さい送り幅Ｓからなる記録シートＰｘを強引に給紙して画像形成を行う場合があり、この場合には、かかる記録シートＰｘを使用した画像形成を繰り返して行っていると、定着装置の加熱ロール１００における少なくとも最小通過領域Ｗ２の一部が過加熱状態となり、加熱ロールの表面に形成される離型層などがその過剰な加熱による高熱により熱溶融して変質したり変形してしまい、加熱ロール１００が大きなダメージを受けることになる。
【００１１】
上記過剰な加熱状態となる加熱ロールの部位は、最小通過領域Ｗ２のうちで当該保証最小サイズよりも小さい送り幅の記録シートＰｘが通過する領域Ｗ３以外の領域（記録シートＰｘが通過しない領域）Ｗ４である（図５参照）。これは、たとえ温度検出素子２００Ａが最小通過領域Ｗ２内に設置されていたとしても、その設置位置が記録シートＰｘの通過する領域Ｗ３である限り、かかる領域Ｗ３における加熱ロール１００の表面温度自体がシートＰｘの通過により正規の定着時とほぼ同様に低下（推移）するため、そのような温度を検出した情報に基づく加熱用ランプの加熱動作に関する制御内容も正規の定着時の場合とほぼ同様となり、定着温度を保つための加熱動作が実行されることになる。この結果、同じ最小通過領域Ｗ２のなかでも、記録シートＰｘが通過しない領域Ｗ４は必要以上に加熱されてしまうのである。
【００１２】
そして、このような保証最小サイズよりも小さい送り幅の記録シートＰｘを強引に給紙して画像形成を行った場合における加熱ロールの局所的な過剰加熱という問題は、記録シートの搬送をそのシートの一側端部を搬送基準にして常に行ういわゆるサイドレジ式の搬送方式を採用する画像形成装置に止まらず、記録シートの搬送をその送り幅の中心位置を搬送基準にして常に行ういわゆるセンターレジ式の搬送方式を採用する画像形成装置においても発生し得る。
【００１３】
ちなみに、このような課題を解消するためには、より多数の温度検出素子を加熱ロールの回転軸方向に設置する方策が考えられるが、この場合には、その各温度検出素子からの温度情報に基づく制御内容が複雑になり、構成の煩雑化やコストアップを招くことにもなる。また、特許文献１には、上記したような想定外の記録シートＰｘを使用した場合の問題点やその対策などについて言及する記載はなく、単にその段落００３７や図１などにおいて「最小通紙域内に１つの温度検知素子を設けている」という記載がなされている程度である。
【００１４】
本発明は、このような課題を解決するためになされたものであり、その主な目的とするところは、記録シートとして保証最小サイズよりも小さい送り幅からなる記録シートを強引に給紙して画像形成が行われることがあっても、加熱ロール等の定着回転体の局所的な過剰加熱が発生することを防止することができる画像形成装置を提供することにある。
【００１５】
【課題を解決するための手段】
本発明の画像形成装置は、記録シートに未定着像を形成する作像装置と、この作像装置で未定着像が形成された記録シートが押し付けられるように搬送されてその未定着像を記録シートに定着させる定着回転体と、この定着回転体の回転軸方向に沿って設置されてその定着回転体を加熱する加熱手段と、前記定着回転体に対向して設置されてその定着回転体の温度を検出する温度検出素子と、この温度検出素子で検出された温度情報に応じて前記加熱手段の加熱動作を制御する制御手段とを有し、前記記録シートの搬送時における送り幅として保証最小サイズが設定されているが、その保証最小サイズよりも小さい送り幅の記録シートでも搬送が可能になっている画像形成装置において、前記温度検出素子は、前記定着回転体の回転軸方向における前記保証最小サイズの送り幅の記録シートが通過するシート通過領域内であって、かつ、前記保証最小サイズよりも小さい送り幅の記録シートが搬送された場合に通過しない領域内となる部位に少なくとも設置されることを特徴とするものである。
【００１６】
このような画像形成装置では、温度検出素子が保証最小サイズよりも小さい送り幅の記録シートが通過しない定着回転体の領域内に少なくとも設置されるため、記録シートとして保証最小サイズよりも小さい送り幅の記録シートを強引に給紙して画像形成が行われる際には、その記録シートが通過しない領域の温度が検出され、その温度情報に基づく加熱手段の加熱動作に関する制御が行われるようになる。このため、その記録シートが通過しない領域の温度に応じた加熱手段の制御がなされるようになり、当該領域が過剰に加熱されるおそれはない。
【００１７】
また、このような画像形成装置では、保証最小サイズよりも小さい送り幅の記録シートが通過しない定着回転体の領域が過剰に加熱されることをより的確に防止する等の観点からすると、前記温度検出素子は、保証最小サイズの送り幅の記録シートが通過するシート通過領域内の端部に相当する部位に設置することが望ましい。
【００１８】
なお、上記作像装置とは、定着回転体による定着処理を要する未定着像（例えばトナー像）を形成した後、その未定着像を記録シートに直接または中間転写体を介して間接的に転写することができるものであればよい。
【００１９】
【発明の実施の形態】
《実施の形態１》
本発明の実施の形態１に係る画像形成装置は、図１に示すように、画像情報に基づくトナー像Ｔを形成して記録シートＰに転写する作像装置１０と、記録シートＰを収容して１枚ずつ作像部１０に搬送して供給する給紙装置２０と、トナー像が転写された記録シートに対して定着処理をする定着装置３０とを主に装備するものである。
【００２０】
作像装置１０では、感光ドラム１１、帯電装置１２、レーザ露光装置１３、現像装置１４、転写装置１５、クリーナ１６等にてその主要部が構成されるものであり、以下のようにしてトナー像の形成が行われる。
【００２１】
まず、矢印方向に回転する感光ドラム１１が帯電装置１２により一様に帯電された後、その帯電後のドラム１１上にレーザ露光装置１３から画像情報に基づいて変調されたレーザ光が走査露光されることにより静電潜像が書込まれる。続いて、その感光ドラム１１上の静電潜像が現像装置１４から供給されるトナー（現像剤）により現像されてトナー像として顕像化された後、そのトナー像が感光ドラム１１と転写装置１５の間に供給される記録シートＰに転写装置１５によって転写される。感光ドラム１１の表面は転写後にクリーナ１６によって清掃されて次の画像形成プロセスに備える。
【００２２】
給紙装置２０は、画像形成に使用する複数枚の記録シートＰを積載収容する給紙トレイ２１、その積載収容される記録シートＰを給紙トレイ２１から１枚ずつ送り出す送出装置２２、給紙トレイ２１から送り出された記録シートＰを所定のタイミングで感光ドラム１１と転写装置１５の間に搬送供給するレジロール対２３等にてその主要部が構成されている。
【００２３】
また、この給紙装置２０を始め画像形成装置全体においては、記録シートＰの搬送を前述したサイドレジ式の搬送方式を採用して行うようになっている。このため、給紙装置２０の給紙トレイ２１には、図４に例示するように、シート収容面上に搬送基準面２５ａが形成された搬送基準ガイド２５が突出した状態で設けられている。これにより、給紙トレイ２１に収容する記録シートＰは、その一側端部を搬送基準ガイド２５の搬送基準面２５ａに当接させて揃えるような状態で収容される。画像形成装置内の他のシート搬送系路も、その搬送基準面２５ａに沿って各種記録シートをガイド搬送するように構成されていることは言うまでもない。また、給紙トレイ２１には、収容される記録シートＰを搬送基準ガイド２５（の搬送基準面２５ａ）に押し当てて揃えた状態に規制するため、その基準面２５ａと対向する位置に搬送基準ガイド２５に対して接近または離間する方向（図中の矢印Ｍ）にスライド可能なシート側端部規制ガイド２６が設けられている。図中の符号２７は、規制ガイド２６のスライド方向およびその領域を規制するためのスライドガイド溝である。
【００２４】
定着装置３０は、図１や図２に示すように、加熱ロール３１と、この加熱ロール３１に圧接して定着ニップ部Ｎを形成する加圧ロール３５とでその主要部が構成されるロールニップ型の定着装置であり、その定着ニップ部に作像装置１０でトナー像が転写された記録シートＰを導入して通過させることにより定着処理を行うようになっている。
【００２５】
加熱ロール３１は、金属材料等からなる円筒状のロール基体３２とそのロール基体３２表面に形成されるＰＦＡ等からなる離型層３３などで構成されたものであり、矢印方向に回転駆動するように配置されている。また、加熱ロール３１の内部空間には、加熱ロール３１を加熱するための電熱ランプ３４が配置されている。一方、加圧ロール３５は、金属材料等からなる円筒状のロール基体３６とその基体３６表面に形成される弾性層３７などで構成されており、加熱ロール３１に所定の圧力で圧接されて従動回転するように配置されている。
【００２６】
また、この定着装置においては、図１〜図３に示すように、加熱ロール３１の表面に、その表面温度を検出するための１つの温度センサ素子４０がそのロール表面に接触または近接した状態で設けられている。この温度センサ素子４０は、定着装置３０の動作全般について制御するための制御装置５０に接続されており、その検出した表面温度に関する情報を制御装置５０に送信するようになっている。制御装置５０は、電熱ランプ３４への電力供給のオンオフ制御や供給電力の調整を行うランプ駆動制御回路５１と接続されており、上記温度センサ素子４０からの温度情報や予め記憶装置などに格納されている定着温度制御プログラムにしたがってランプ駆動制御回路５１に対して制御信号を送信するようになっている。制御装置５０には、画像形成動作の開始信号や給紙される記録シートの種類等についての情報信号が入力されるようになっている。
【００２７】
これにより、定着装置３０では、例えば画像形成装置の主電源が投入されると、電熱ランプ３４への電力供給が開始されて加熱ロール３１を所定の定着温度になるまで加熱し、その加熱ロール３１の温度センサ素子４０で検出される温度が予め定めた上限閾値（温度）を超えた際には電熱ランプ３４への電力供給を停止させて加熱ロール３１の加熱動作を止める一方、その加熱ロール３１の温度センサ素子４０で検出される温度が予め定めた下限閾値を下回った際には電熱ランプ３４への電力供給を再開して加熱ロール３１の加熱動作を再開するようになっている。このような加熱動作に関する制御が行われることにより、加熱ロール３１は所定の定着温度またはその前後の温度に保たれるようになっている。
【００２８】
そして、この画像形成装置においては、記録シートＰの搬送時における送り幅Ｓとして保証最小サイズＳｍｉｎが設定されている。
【００２９】
この関係により、図４に示すように、給紙トレイ２１におけるシート側端部規制ガイド２６の小サイズ側のスライド限界位置（搬送基準ガイド２５と最も接近する側の位置）Ｅ１が、その保証最小サイズＳｍｉｎの送り幅からなる記録シートＰｍｉｎを搬送基準ガイド２５側にむけて押えて揃えられる位置に合わせて設定されている。一方、シート側端部規制ガイド２６の大サイズ側のスライド限界位置Ｅ２は、最大サイズの送り幅からなる記録シートの一側端部を搬送基準ガイド２５側にむけて押えて揃えられる位置に合わせて設定されている。図中のＷ１は、最大サイズの送り幅からなる記録シートが通過する最大通過領域である。
【００３０】
なお、この画像形成装置では、上記したように給紙トレイ２６におけるシート側端部規制ガイド２６の小サイズ側のスライド限界位置Ｅ１が保証最小サイズＳｍｉｎの送り幅の記録シートＰｍｉｎに相応されて設定されているものの、実際には、記録シートＰとしてその保証最小サイズＳｍｉｎよりも小さい送り幅Ｓｘからなる記録シートＰｘを強引に給紙することが可能であり、かかる記録シートＰｘへの画像形成も特に禁止しておらず許可している。
【００３１】
また、上記保証最小サイズＳｍｉｎを設定している関係により、定着装置３０における温度センサ素子４０についても、図３や図４に示すように、加熱ロール３１の回転軸方向（Ｊ）における保証最小サイズＳｍｉｎの送り幅Ｓからなる記録シートＰｍｉｎが通過するシート通過領域Ｗ２内であり、しかも、その保証最小サイズＳｍｉｎよりも小さい送り幅Ｓｘ（≦Ｐｍｉｎ）からなる記録シートＰｘが搬送された場合に通過しない領域Ｗ４内となる位置に設置している。
【００３２】
これにより、仮にこの画像形成装置において、記録シートＰとして保証最小サイズＳｍｉｎよりも小さい送り幅の記録シートＰｘを強引に給紙して画像形成が行われることがあったとしても、定着装置３０においては、その保証最小サイズＳｍｉｎよりも小さい送り幅の記録シートＰｘが通過しない領域Ｗ４の温度に応じた加熱用ランプ３４の加熱動作に関する制御が実行されるようになり、その領域Ｗ４が従来技術のように過剰に加熱されてしまうおそれはない。
【００３３】
すなわち、定着装置３０では、温度センサ素子４０を記録シートＰｘの通過しない領域Ｗ４内に少なくとも設置しているため、その領域Ｗ４の加熱ロール２０の温度が温度センサ素子４０により確実に検出されるようになり、その温度情報に基づいた加熱用ランプ３４の加熱動作に関する制御が行われるようになる。つまり、その記録シートＰｘが通過しない領域Ｗ４の温度が上限閾値を超えるようなときには、前述したように加熱用ランプ３４への給電動作が停止されて加熱ロール２０の加熱も停止されるのである。この結果、加熱ロール３０が加熱用ランプ３４の加熱動作により必要以上に加熱されることがないのである。
【００３４】
図５は、この画像形成装置を用いて行った試験の結果を示すものである。
【００３５】
この試験は、温度センサ素子４０を記録シートＰｘの通過領域Ｗ３内に設置したときとその記録シートＰｘが通過しない領域Ｗ４内に設置したときの、各加熱ロール２０の表面温度をそれぞれ測定したものである。保証最小サイズＳｍｉｎについては、定形はがき（１００ｍｍ×１４７ｍｍ）の長辺（ＬＥ）の長さである「１４７ｍｍ」とした。また、保証最小サイズＳｍｉｎよりも小さい送り幅の記録シートＰｘとしては、同じはがきを使用し、それを縦送りの状態（送り幅Ｓが１００ｍｍとなるような状態）で給紙するようにした。
【００３６】
これにより、定着装置１０における記録シートＰｍｉｎの通過領域Ｗ２の幅は「１４７ｍｍ」となり、記録シートＰｘの通過領域Ｗ３の幅「１００ｍｍ」となり、記録シートＰｘの通過しない領域Ｗ４の幅「４７ｍｍ」となる。そして、記録シートＰｘの通過領域Ｗ３内に設置する温度センサ素子４０は、加熱ロール３１におけるサイドレジの搬送基準位置（図５のグラフ横軸の「０ｍｍ」の位置）から５０ｍｍ離れた位置に設置した。また、記録シートＰｘの非通過領域Ｗ４に設置する温度センサ素子４０は、加熱ロール３１におけるサイドレジの搬送基準位置から１３８ｍｍ離れた位置に設置した。
【００３７】
また、このとき加熱ロール３１の表面温度が「２１５℃」になるように電熱ランプ３４の制御を行った。また、加熱ロール３１の表面温度を検出するための上記温度センサ素子４０以外にも９つの温度センサ素子を異なる位置に設置し、その各位置の温度検出を行った。温度測定は、いずれの場合も白紙の記録シートＰｘであるはがきを９０枚連続して定着ニップ部を通過走行させた後に行った。
【００３８】
図５に示す結果から明らかなように、温度センサ素子４０を記録シートＰｘの通過領域Ｗ３内（搬送基準位置から５０ｍｍの位置）に設置したときには、記録シートＰｘの非通過領域Ｗ４内における加熱ロール温度が目標加熱温度をはるかに超える２８０℃という高温に達してしまうのに対し、温度センサ素子４０を記録シートＰｘの非通過領域Ｗ４内（搬送基準位置から１３８ｍｍの位置）に設置したときには、記録シートＰｘの非通過領域Ｗ４内における加熱ロール温度を２３０℃以下の温度に保つことができることが確認できる。
【００３９】
なお、この保証最小サイズＳｍｉｎよりも小さい送り幅Ｓｘの記録シートＰｘを強引に給紙して画像形成を続けて行った場合は、その記録シートＰｘが通過する領域Ｗ３の加熱ロール温度が定着温度を次第に下回る状態となるため、コールドオフセットが発生し、次第に良好な定着ができなくなる傾向がある。
【００４０】
また、温度センサ素子４０は、可能な限り、記録シートＰｘの非通過領域Ｗ４のなかでも特に保証最小サイズの送り幅からなる記録シートＰｘの通過領域Ｗ２の端部に相当する部位に設置する。この通過領域Ｗ２の端部に相当する部位に設置するとは、例えば、図４に示すように温度センサ素子（４０）の検知実効領域（端部）と通過領域Ｗ２の端部（領域Ｗ２とそれと連続する領域Ｗ１との境界線）との離間距離βが０〜１０ｍｍの範囲となるように当該温度センサ素子を設置することである。
【００４１】
このような部位に設置した場合には、非通過領域Ｗ４の温度をより適切に検出できるようになる。さらに、通常の保証サイズの各種記録シートが必ず通過する領域の温度を検出できる部位に設置されていることにもなるため、定着装置１０で使用する温度センサ素子としては当該位置に設置する１つの温度センサ素子４０を設置するだけで済む場合もあり有益である。
【００４２】
《他の実施の形態》
実施の形態１では、記録シートの搬送方式としてサイドレジ式のものを適用した場合について例示したが、本発明は、前述したようにセンタレジ式の搬送方式を採用した画像形成装置にも適用可能である。
【００４３】
図６は、センタレジ式の搬送方式を採用した場合の定着装置における温度センサ素子４０の設置位置を示す図である。図中において一点破線Ｃはセンタレジ式における搬送基準線である。この場合には、保証最小サイズＳｍｉｎよりも小さい送り幅Ｓｘの記録シートＰｘが通過しない非通過領域Ｗ４は、その通過領域Ｗ３の両側に２つ（Ｗ４ａ，Ｗ４ｂ）存在することになる。このため、温度センサ素子４０は、その２つの非通過領域Ｗ４ａ，Ｗ４ｂに設置してもよいが、少なくともいずれか一方の領域に設置すればよい。
【００４４】
また、定着装置１０では、加熱ロール３１に代えて、定着ベルトを加熱ロールや駆動ロール等の支持ロールに張架させて回転させるベルト形態の定着回転体を適用したものであってもよい。
【００４５】
【発明の効果】
以上説明したように、本発明の画像形成装置によれば、記録シートとして保証最小サイズよりも小さい送り幅からなる記録シートを強引に給紙して画像形成が行われることがあっても、加熱ロール等の定着回転体の局所的な過剰加熱が発生することが防止される。
【図面の簡単な説明】
【図１】実施の形態１に係る画像形成装置の要部構成を示す概要図。
【図２】定着装置の要部構成を示す概要図。
【図３】温度センサ素子の設置位置などを主に示す説明図。
【図４】保証最小サイズの送り幅からなる記録シート等の給紙状態と温度センサ素子の設置位置との関係を示す説明図。
【図５】温度センサ素子の設置位置と加熱ロールの温度状態との関係を調べた試験の結果を示すグラフ。
【図６】センターレジ式の搬送方式を採用した場合の温度センサ素子の設置位置などを主に示す説明図。
【図７】従来の温度センサ素子の設置位置などを主に示す説明図。
【符号の説明】
１０…作像装置、３０…定着装置、３１…加熱ロール（定着回転体）、３４…電熱ランプ（加熱手段）、４０…温度センサ素子（温度検出素子）、５０…制御装置（制御手段の一部）、５１…加熱制御回路（制御手段の一部）、Ｗ３…保証最小サイズの記録シートの通過領域、Ｗ４…保証最小サイズの記録シートの非通過領域、Ｐ…記録シート、Ｓ…送り幅、Ｓｍｉｎ…保証最小サイズ、Ｐｍｉｎ…保証最小サイズの送り幅からなる記録シート、Ｐｘ…保証最小サイズよりも小さい送り幅からなる記録シート。
【図１】
2004145211.tif 000003
【図２】
2004145211.tif 000004
【図３】
2004145211.tif 000005
【図４】
2004145211.tif 000006
【図５】
2004145211.tif 000007
【図６】
2004145211.tif 000008
【図７】
2004145211.tif 000009